(57)【要約】      （修正有）【課題】吊るし飾りの配置に支持台を不要とし、かつワンタッチで取付け取外しが可能な吊るし飾りを提供する。【解決手段】吊るし装飾具１０は、紐状物１２と、該紐状物１２の一端に設けられ、紐状物１２を吊り下げた状態で被固定部に着脱可能に固定可能な固定具１４と、紐状物１２に取り付けられた１個以上の装飾体１６と、を備える。紐状物１２は装飾体１６を貫通し、かつ装飾体１６を係止させるための結び目２０を有する。【選択図】図１
0003212181.tif 000002
【実用新案登録請求の範囲】
【請求項１】
紐状物と、
該紐状物の一端に設けられ、前記紐状物を吊り下げた状態で被固定部に着脱可能に固定可能な固定具と、
前記紐状物に取り付けられた１個以上の装飾体と、
を備えることを特徴とする吊るし装飾具。
【請求項２】
前記紐状物は可撓性を有することを特徴とする請求項１に記載の吊るし装飾具。
【請求項３】
前記紐状物は前記装飾体を貫通し、かつ、前記装飾体を係止させるための結び目を有することを特徴とする請求項１又は２に記載の吊るし装飾具。
【請求項４】
前記被固定部は磁性体で構成され、
前記固定具は磁石を含み、該磁石の磁気力によって前記被固定部に固定されることを特徴とする請求項１乃至３の何れか一項に記載の吊るし装飾具。
【請求項５】
前記固定具は互いに吸引力を発生する一対の磁石を含み、
前記一対の磁石が前記被固定部を介して対向配置されることで、前記固定具は前記被固定部に固定されることを特徴とする請求項１乃至４の何れか一項に記載の吊るし装飾具。
【請求項６】
前記磁石又は前記一対の磁石の各々は装飾体の中に埋設されることを特徴とする請求項４又は５に記載の吊るし装飾具。
【請求項７】
前記固定具は前記被固定部に吸着可能な吸盤で構成されることを特徴とする請求項１乃至３の何れか一項に記載の吊るし装飾具。
【請求項８】
前記紐状物は、一端が前記固定具に接続される少なくとも１本の第１紐状物と、前記装飾体が取り付けられる複数の第２紐状物と、を含み、
前記第１紐状物の他端が接続される中央部、及び前記複数の第２紐状物が周方向に間隔を有して取り付けられる外縁形成部を有する基部を備えることを特徴とする請求項１乃至７の何れか一項に記載の吊るし装飾具。
【請求項９】
内部を目視可能なケースと、
前記ケースの内面に固定された請求項１乃至８の何れか一項に記載の前記吊るし装飾具と、
を備えることを特徴とするショーケース。
【請求項１０】
前記ケースは、正面隔壁及び側面隔壁を有し、該正面隔壁及び該側面隔壁の少なくとも一部が透明な隔壁で構成されることを特徴とする請求項９に記載のショーケース。
【請求項１１】
前記ケースは上部隔壁を有し、
前記固定具は前記上部隔壁に固定されることを特徴とする請求項９又は１０に記載のショーケース。
【請求項１２】
前記ケースの内部に配置された主装飾体を備えることを特徴とする請求項９乃至１１の何れか一項に記載のショーケース。
【請求項１３】
前記主装飾体が前記ケースの正面から視て前記ケースの中央に配置され、
前記吊るし装飾具が前記主装飾体の両側の少なくとも一方に前記上部隔壁から吊り下げ配置されることを特徴とする請求項１２に記載のショーケース。
【考案の詳細な説明】
【技術分野】
【０００１】
本開示は、吊るし装飾具及びこの吊るし装飾具を収納したショーケースに関する。  
【背景技術】
【０００２】
正月や端午の節句に羽子板や破魔弓をショーケースの中に入れて飾る習慣がある。その場合、羽子板や破魔弓を本飾りとしてショーケース内の中央に置き、中央に配置した本飾りの周囲に脇飾りとして手毬などの飾りを置くこともある。
特許文献１には、羽子板や破魔弓をショーケースの内部に配置することが記載されている。特許文献１の図１は、破魔弓をショーケースに飾った図であり、図３は、羽子板を本飾りとし、手毬などを脇飾りとしてショーケースに飾った図である。
一方、子や孫の成長を祈って様々な飾りを糸に通して吊るし飾りをつくり、この吊るし飾りを飾る習慣がある。
【先行技術文献】
【特許文献】
【０００３】
【特許文献１】実用新案登録第３１２５１２８号公報
【考案の概要】
【考案が解決しようとする課題】
【０００４】
ショーケースの内部で本飾りの周囲に脇飾りを置く場合、特許文献１の図３に示すように、見栄えを良くするために、ショーケースの底面に支持台を置き、この支持台に脇飾りを載置することがある。この場合、脇飾りをショーケースの底面より高い位置に配置するためには、高さがある支持台を用意する必要があるが、逆に高さがある分倒れやすいという不具合がある。また、狭いスペースの一画が支持台によって占められ、かつ支持台によっては美観が損なわれるという問題がある。
【０００５】
本開示は、吊るし飾りの配置に支持台を不要とし、かつワンタッチで取付け取外しが可能な吊るし飾りを提案することを目的とする。
【課題を解決するための手段】
【０００６】
（１）一実施形態に係る吊るし装飾具は、
紐状物と、
該紐状物の一端に設けられ、前記紐状物を吊り下げた状態で被固定部に着脱可能に固定可能な固定具と、
前記紐状物に取り付けられた１個以上の装飾体と、
を備える。
上記（１）の構成を有する吊るし装飾具は、上記固定具を介して被固定部に取り付けできるので、支持台を必要とせず任意の場所に配置できる。これによって、所望の空間の装飾性を高めることができる。また、被固定部にワンタッチで取付け及び取外しできる。
【０００７】
（２）一実施形態では、前記（１）の構成において、
前記紐状物は可撓性を有する。
上記（２）の構成によれば、紐状物は可撓性を有するため、紐状物に取り付けられた装飾体の自由な動きを許容できる。これによって、装飾体の存在感を高めることができると共に、吊るし装飾具の配置の自由度を広げることができる。
【０００８】
（３）一実施形態では、前記（１）又は（２）の構成において、
前記紐状物は前記装飾体を貫通し、かつ、前記装飾体を係止させるための結び目を有する。
上記（３）の構成によれば、装飾体に前記紐状物を貫通させることで、装飾体の紐状物への取り付けが容易になると共に、紐状物に結び目を付けるだけの簡易な方法で、紐状物の所望の位置に装飾体を固定できる。
【０００９】
（４）一実施形態では、前記（１）〜（３）の何れかの構成において、
前記被固定部は磁性体で構成され、
前記固定具は磁石を含み、該磁石の磁気力によって前記被固定部に固定される。
上記（４）の構成によれば、固定具が磁石を含むため、磁性体で構成される被固定部に対し、該磁石の磁気力によって固定具を被固定部に固定できる。これによって、吊るし装飾具を被固定部に対してワンタッチで着脱させることができる。
【００１０】
（５）一実施形態では、前記（１）〜（４）の何れかの構成において、
前記固定具は互いに吸引力を発生する一対の磁石を含み、
前記一対の磁石が前記被固定部を介して対向配置されることで、前記固定具は前記被固定部に固定される。
上記（５）の構成によれば、固定具が互いに吸引力を発生する一対の磁石を含み、これら一対の磁石が被固定部を介して対向配置されることで、一対の磁石間に発生する吸引力で吊るし装飾具を被固定部に固定できる。従って、被固定部が磁性体でなくても、吊るし装飾具を被固定部に対してワンタッチで着脱させることができる。
【００１１】
（６）一実施形態では、前記（４）又は（５）の構成において、
前記磁石又は前記一対の磁石の各々は装飾体の中に埋設される。
上記（６）の構成によれば、磁石が装飾体に埋設され装飾体で覆われることで、固定具の装飾性を高めることができる。
【００１２】
（７）一実施形態では、前記（１）〜（３）の何れかの構成において、
前記固定具は前記被固定部に吸着可能な吸盤で構成される。
上記（７）の構成によれば、固定具が吸盤で構成されることで、固定具を簡易かつ低コストな構成にすることができると共に、吊るし装飾具を被固定部に対してワンタッチで着脱させることができる。
【００１３】
（８）一実施形態では、前記（１）〜（７）の何れかの構成において、
前記紐状物は、一端が前記固定具に接続される少なくとも１本の第１紐状物と、前記装飾体が取り付けられる複数の第２紐状物と、を含み、
前記第１紐状物の他端が接続される中央部、及び前記複数の第２紐状物が周方向に間隔を有して取り付けられる外縁形成部を有する基部を備える。
上記（８）の構成によれば、上記構成の基部を備えることで、夫々１個以上の装飾体１６が取り付けられる複数の第２紐状物を１個の固定具で吊り下げ可能になる。従って、装飾体の数を増やすことができる一方で、固定具の構成を簡素化できる。
【００１４】
（９）一実施形態に係るショーケースは、
内部を目視可能なケースと、
前記ケースの内面に固定された前記（１）〜（８）の何れかの構成を有する前記吊るし装飾具と、
を備える。
上記（９）の構成によれば、上記ケースの内面に吊るし装飾具を着脱可能に固定できるため、吊るし装飾具は支持台を必要とせずにケース内の任意の場所にワンタッチで取付け及び取外しできる。これによって、ケース内の所望の空間の装飾性を高めることができる。
【００１５】
（１０）一実施形態では、前記（９）の構成において、
前記ケースは、正面隔壁及び側面隔壁を有し、該正面隔壁及び該側面隔壁の少なくとも一部が透明な隔壁で構成される。
上記（１０）の構成によれば、ケースの正面隔壁及び側面隔壁の少なくとも一部が透明な隔壁で構成されるため、ケース内部の装飾体の視認性を確保しつつ、埃などがケース内に侵入するのを防止でき、装飾体の保全効果を向上できる。
【００１６】
（１１）一実施形態では、前記（９）又は（１０）の構成において、
前記ケースは上部隔壁を有し、
前記固定具は前記上部隔壁に固定される。
上記（１１）の構成によれば、固定具がケースの上部隔壁に固定されることで、吊るし装飾具をケース内空間の所望の位置に吊り下げることができる。これによって、ケース内部の装飾性を高めることができる。
【００１７】
（１２）一実施形態では、前記（９）〜（１１）の何れかの構成において、
前記ケースの内部に配置された主装飾体を備える。
上記（１２）の構成によれば、上記主装飾体を備えるショーケースの内部に吊るし装飾具を配置し、主装飾体と吊るし装飾具との組合せで、ショーケース内部の装飾性を高めることができる。
【００１８】
（１３）一実施形態では、前記（１２）の構成において、
前記主装飾体が前記ケースの正面から視て前記ケースの内部の中央に配置され、
前記吊るし装飾具が前記主装飾体の両側の少なくとも一方に前記上部隔壁から吊り下げ配置される。
上記（１３）の構成によれば、ケースの正面から視て、中央に配置された主装飾体と主装飾体の両側の少なくとも一方に配置された吊るし装飾具との組合せで、ショーケース内部の美観及び装飾性を高めることができる。
【考案の効果】
【００１９】
一実施形態によれば、吊るし飾りの配置に支持台を不要とし、かつワンタッチで取付け取外しが可能な吊るし飾りを実現できる。また、該吊るし装飾具をショーケース内の所望の位置に配置することで、ショーケースの美観又は装飾性を高めることができる。
【図面の簡単な説明】
【００２０】
【図１】一実施形態に係る吊るし装飾具の正面図である。
【図２】一実施形態に係る吊るし装飾具の正面図である。
【図３】一実施形態に係る吊るし装飾具を構成する固定具の正面図である。
【図４】一実施形態に係る吊るし装飾具を構成する固定具の正面図である。
【図５】一実施形態に係る吊るし装飾具の斜視図である。
【図６】一実施形態に係る吊るし装飾具の斜視図である。
【図７】一実施形態に係るショーケースの正面図である。
【図８】一実施形態に係るショーケースの斜視図である。
【考案を実施するための形態】
【００２１】
以下、添付図面を参照して本考案の幾つかの実施形態について説明する。ただし、実施形態として記載され又は図面に示されている構成部品の寸法、材質、形状、その相対的配置等は、本考案の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２２】
図１、図２、図４、図５及び図６は、幾つかの実施形態に係る吊るし装飾具１０（１０Ａ、１０Ｂ、１０Ｃ、１０Ｄ、１０Ｅ）を示す。
【００２３】
吊るし装飾具１０（１０Ａ〜１０Ｅ）は、紐状物１２（１２ａ）の一端に固定具１４（１４ａ、１４ｃ）が取り付けられている。紐状物１２（１２ｂ）には１個以上の装飾体１６（１６ａ、１６ｂ、１６ｃ、１６ｄ、１６ｅ、１６ｆ、１６ｇ、１６ｈ、１６ｉ、１６ｊ、１６ｋ、１６ｌ）が取り付けられている。
図３及び図４に示すように、固定具１４（１４ａ、１４ｃ）は紐状物１２を吊り下げた状態で被固定部１８に着脱可能に固定可能に構成される。
上記構成において、吊るし装飾具１０は、１個以上の装飾体１６が吊り下げられた状態で固定具１４を介して着脱可能に被固定部１８に固定される。
【００２４】
上記構成によれば、固定具１４を被固定部１８に着脱可能に取り付けできるので、吊るし装飾具１０を好みに応じて好みの場所に簡易に取り付けできる。これによって、所望の空間の装飾性を高めることができる。
【００２５】
一実施形態では、図１及び図２に示すように、複数の装飾体１６（１６ａ〜１６ｌ）が、紐状物１２の中間部位又は固定具１４が取り付けられる端部とは反対側の端部に間隔を有して取り付けられる。
一実施形態では、複数の装飾体１６が、互いに等間隔で取り付けられる。
【００２６】
一実施形態では、紐状物１２（１２ａ、１２ｂ）は可撓性を有する。一実施形態では、紐状物１２として、可撓性を有する通常の紐又は太目の糸等が用いられる。
これらの実施形態によれば、紐状物１２は可撓性を有するため、紐状物１２に取り付けられた装飾体１６の自由な動きを許容できる。装飾体１６の自由な動きを許容することで、装飾体１６の装飾性を高めることができると共に、吊るし装飾具１０の配置の自由度を広げることができる。
【００２７】
一実施形態では、図１及び図２に示すように、紐状物１２は装飾体１６を貫通し、かつ装飾体１６を係止させるための結び目２０を有する。
この実施形態によれば、装飾体１６に紐状物１２を貫通させることで、装飾体１６の紐状物１２への取り付けが容易になると共に、紐状物１２に結び目２０を付けるだけの簡易な方法で、紐状物１２の所望の位置に装飾体１６を固定できる。
特に、可撓性を有する紐状物１２を用いれば、紐状物１２に結び目２０を容易に形成できる。
【００２８】
一実施形態では、図３に示すように、被固定部１８は磁性体で構成される。固定具１４は磁石（例えば永久磁石）２２を含み、磁石２２の磁気力によって固定具１４は被固定部１８に固定される。
この実施形態によれば、磁石２２の磁気力によって固定具１４を被固定部１８に固定させることができる。これによって、吊るし装飾具１０を被固定部１８に対してワンタッチで着脱させることができる。
【００２９】
一実施形態では、図３に示すように、固定具１４は互いに吸引力を発生する一対の磁石２２（２２ａ、２２ｂ）を有する。一対の磁石２２が被固定部１８を介して対向配置されることで、固定具１４は被固定部１８に一対の磁石２２の吸引力で固定される。
この実施形態によれば、固定具１４が互いに吸引力を発生する一対の磁石２２を有し、これら一対の磁石２２が被固定部１８を介して対向配置されることで、一対の磁石２２間に発生する吸引力で吊るし装飾具１０を被固定部１８に固定できる。従って、被固定部１８が磁性体でなくても、吊るし装飾具１０を被固定部１８に対してワンタッチで着脱させることができる。
【００３０】
一実施形態では、一対の磁石２２は互いに極が異なる一対の永久磁石２２（２２ａ、２２ｂ）で構成される。例えば、一対の永久磁石２２のうち一方がＮ極の永久磁石であれば、他方はＳ極の永久磁石である。これによって、一対の磁石２２間に吸引力を発生できる。
【００３１】
一実施形態では、図３に示すように、磁石２２は装飾体２４の中に埋設され、外部から見えないようになっている。
この実施形態によれば、磁石２２が装飾体２４で覆われることで、固定具１４の装飾性を高めることができる。
【００３２】
なお、図３に示す実施形態では、前述のように、被固定部１８が磁性体で構成されるとき、固定具１４（１４ｂ）がなくても、固定具１４（１４ａ）のみで被固定部１８に吊るし装飾具１０を固定できる。
【００３３】
一実施形態では、図３に示すように、一対の磁石２２（２２ａ、２２ｂ）のうち、磁石２２（２２ａ）は装飾体２４（２４ａ）に埋設され、装飾体２４（２４ａ）で覆われ、外部から隠されている。また、磁石２２（２２ｂ）は装飾体２４（２４ｂ）に埋設され、装飾体２４（２４ｂ）で覆われ、外部から隠されている。
これによって、固定具１４（１４ａ、１４ｂ）の装飾性を高めることができる。
【００３４】
一実施形態に係る吊るし装飾具１０（１０Ｃ）は、図４に示すように、固定具１４（１４ｃ）が被固定部１８に吸着可能な吸盤２６で構成され、吸盤２６を矢印で示すように被固定部１８に吸着させる。
この実施形態によれば、固定具１４（１４ｃ）が吸盤で構成されることで、固定具１４を簡易かつ低コストな構成にすることができると共に、吊るし装飾具１０を被固定部１８に対してワンタッチで着脱させることができる。
また、この実施形態では、被固定部１８の一方側にのみ吸盤２６を固定するだけでよく、被固定部１８の他方側に固定具を配置する必要がない。従って、後述するように、ショーケースに吊るし装飾具を配置する実施形態では、ケースの外側に余分な固定具を配置する必要がない。
【００３５】
幾つかの実施形態に係る吊るし装飾具１０（１０Ｄ、１０Ｅ）において、図５及び図６に示すように、紐状物１２は、第１紐状物１２（１２ａ）と複数の第２紐状物１２（１２ｂ）とを有する。第１紐状物１２（１２ａ）は、少なくとも１本の紐状物で構成され、一端が固定具１４に接続され、他端は基部３０（３０ａ、３０ｂ）の中央部３２に接続される。基部３０は少なくとも中央部３２と外縁形成部３４を有する。複数の第２紐状物１２（１２ｂ）は、基部３０の外縁形成部３４に接続され、外縁形成部３４の周方向に間隔を置いて取り付けられる。複数の第２紐状物１２（１２ｂ）には夫々１個以上の装飾体１６が取り付けられる。
外縁形成部３４は、例えば、円形、角形、楕円形など任意の形状とすることができる。
【００３６】
吊るし装飾具１０（１０Ｄ、１０Ｅ）によれば、基部３０（３０ａ、３０ｂ）を備えることで、複数の第２紐状物１２（１２ｂ）を有する吊るし装飾具を１個の固定具１４で吊り下げ可能になる。従って、装飾体１６の数を増やすことができる一方で、固定具１４の構成を簡素化できる。
【００３７】
一実施形態では、図５に示す吊るし装飾具１０（１０Ｄ）のように、基部３０（３０ａ）は、表裏両面が平坦面を有する板状体で構成される。該板状体の中央部３２に第１紐状物１２（１２ａ）が接続され、該板状体の外縁形成部３４に複数の第２紐状物１２（１２ｂ）が間隔を置いて取り付けられる。該板状体の板厚を小さくすることで、軽量化を達成できる。基部３０（３０ａ）は、例えば軽量の金属又はプラスチックで製造することで、吊るし装飾具１０（１０Ｄ）を計量化できる。
上記板状体の外形は、例えば、円形、角形、楕円形など任意の形状とすることができる。
【００３８】
第１紐状物１２（１２ａ）が接続される中央部３２と上記板状体の重心とを一致させることで、板状体の姿勢を水平に保持できる。これによって、複数の第２紐状物１２（１２ｂ）に取り付けられる複数の装飾体１６を分散配置でき、複数の装飾体１６の装飾性を高めることができる。
【００３９】
一実施形態では、図６に示す吊るし装飾具１０（１０Ｅ）のように、基部３０（３０ｂ）は、細いバーで構成される。中央部３２は両端が外縁形成部３４に結合された複数のバーが互いに結合して構成され、この結合部に第１紐状物１２（１２ａ）が結合される。複数のバーは例えば軽量の金属又はプラスチックで製造される。
一実施形態では、中央部３２を構成するバーと外縁形成部３４を構成するバーとの結合部に第２紐状物１２（１２ｂ）が結合される。これによって、第２紐状物１２（１２ｂ）の重量が加わる外縁形成部３４の強度を増加できる。
【００４０】
また、第１紐状物１２（１２ａ）が接続される中央部３２と基部３０（３０ｂ）の重心とを一致させることで、基部３０（３０ｂ）の姿勢を水平に保持できる。これによって、複数の第２紐状物１２（１２ｂ）に取り付けられる複数の装飾体１６を分散配置でき、複数の装飾体１６の装飾性を高めることができる。
【００４１】
一実施形態では、図５及び図６に示す吊るし装飾具１０（１０Ｄ、１０Ｅ）において、複数の第２紐状物１２（１２ｂ）を外縁形成部３４に対して等間隔に取り付ける。これによって、第２紐状物１２（１２ｂ）の重量を外縁形成部３４の周方向で均等に付加できるので、外縁形成部３４の傾きを抑制できる。従って、第２紐状物１２（１２ｂ）間の間隔を保持でき、第２紐状物１２（１２ｂ）に取り付けられる複数の装飾体１６を分散配置でき、複数の装飾体１６の装飾性を高めることができる。
【００４２】
一実施形態に係るショーケース４０は、図７及び図８に示すように、内部が目視可能なケース４２を備え、吊るし装飾具１０がケース４２の内面に固定される。
このように、ケース４２の内面に吊るし装飾具１０を着脱可能に固定できるため、吊るし装飾具１０は支持台を必要とせずにケース内の任意の場所にワンタッチで取付け及び取外しできる。これによって、ケース内の所望の空間の装飾性を高めることができる。
【００４３】
一実施形態では、図７及び図８に示すように、ケース４２は正面隔壁４２ｂ及び側面隔壁４２ｃを有し、少なくとも正面隔壁４２ｂ及び側面隔壁４２ｃの一部が透明な隔壁で構成される。
この実施形態によれば、正面隔壁４２ｂ及び側面隔壁４２ｃの少なくとも一部が透明な隔壁で構成されるため、ケース内部の装飾体１６の視認性を確保しつつ、埃などがケース内に侵入するのを防止でき、ケース内部の装飾体の保全効果を向上できる。
【００４４】
一実施形態では、ケース４２は上部隔壁４２ａを有し、図７及び図８に示すように、固定具１４はケース４２の上部隔壁４２ａに固定される。
この実施形態によれば、固定具１４が上部隔壁４２ａに固定されるため、吊るし装飾具１０をケース内の所望の空間に吊り下げることができる。これによって、ケース内部の装飾性を高めることができる。
【００４５】
一実施形態では、図７及び図８に示すように、ケース４２の内部に主装飾体４４が配置される。
この実施形態によれば、主装飾体４４を備えるショーケース４０の内部に吊るし装飾具１０を取り付け、主装飾体４４と吊るし装飾具１０とを組み合わせることで、ショーケース内部の装飾性を高めることができる。
【００４６】
一実施形態では、図７及び図８に示すように、主装飾体４４がケース４２の正面から視てケース内部の中央に配置される。また、吊るし装飾具１０が主装飾体４４の両側の少なくとも一方に上部隔壁４２ａから吊り下げ配置される。
この実施形態によれば、ケース４２の正面から視て、中央に配置された主装飾体４４と主装飾体４４の少なくとも両側に配置された吊るし装飾具１０との組合せで、ショーケース内部の美観及び装飾性を高めることができる。
【００４７】
一実施形態では、図７及び図８に示すように、吊るし装飾具１０が上部隔壁４２ａから吊り下げられると共に、主装飾体４４の両側に配置される。これによって、中央に配置された主装飾体４４と主装飾体４４の少なくとも両側に配置された吊るし装飾具１０との組合せで、ショーケース内部の美観及び装飾性を高めることができる。
【００４８】
一実施形態では、ケース４２は、背面４２ｄ及び底面４２ｅを除き、上部隔壁４２ａ、正面隔壁４２ｂ及び側面隔壁４２ｃが透明な隔壁で構成される。これによって、ケース外部からのケース内の装飾体の視認性を高めることができる。
一実施形態では、背面４２ｄ及び底面４２ｅが不透明な隔壁で構成される。不透明な背面４２ｄに適宜な彩色を施すことで、ケース内の装飾体（主装飾体４４、吊るし装飾具１０等）の美観及び装飾性を高めることができる。
なお、ケース４２は、図示した直方体に限られず、正方体又はその他の形状であってもよい。
【産業上の利用可能性】
【００４９】
一実施形態によれば、吊るし飾りの配置に支持台を不要とし、かつワンタッチで取付け取外しが可能な吊るし飾りを実現できる。また、この吊るし装飾具をショーケースに飾ることで、ショーケース内の装飾体の美観及び装飾性を高めることができる。
【符号の説明】
【００５０】
１０（１０Ａ、１０Ｂ、１０Ｃ、１０Ｄ、１０Ｅ）    吊るし装飾具
１２    紐状物
１２（１２ａ）    第１紐状物
１２（１２ｂ）    第２紐状物
１４（１４ａ、１４ｂ、１４ｃ）    固定具
１６（１６ａ、１６ｂ、１６ｃ、１６ｄ、１６ｅ、１６ｆ、１６ｇ、１６ｈ、１６ｉ、１６ｊ、１６ｋ、１６ｌ）、２４（２４ａ、２４ｂ）    装飾体
１８    被固定部
２０    結び目
２２（２２ａ、２２ｂ）    永久磁石
３０（３０ａ、３０ｂ）    基部
３２    中央部
３４    外縁形成部
４０    ショーケース
４２    ケース
４２ａ    上部隔壁
４２ｂ    正面隔壁
４２ｃ    側面隔壁
４２ｄ    背面
４２ｅ    底面
４４    主装飾体
【図１】
0003212181.tif 000003
【図２】
0003212181.tif 000004
【図３】
0003212181.tif 000005
【図４】
0003212181.tif 000006
【図５】
0003212181.tif 000007
【図６】
0003212181.tif 000008
【図７】
0003212181.tif 000009
【図８】
0003212181.tif 000010
【手続補正書】
【提出日】平成29年6月27日(2017.6.27)
【手続補正１】
【補正対象書類名】実用新案登録請求の範囲
【補正対象項目名】全文
【補正方法】変更
【補正の内容】
【実用新案登録請求の範囲】
【請求項１】
紐状物と、
該紐状物の一端に設けられ、前記紐状物を吊り下げた状態で被固定部に着脱可能に固定可能な固定具と、
前記紐状物に取り付けられた１個以上の装飾体と、
を備えることを特徴とする吊るし装飾具。
【請求項２】
前記紐状物は可撓性を有することを特徴とする請求項１に記載の吊るし装飾具。
【請求項３】
前記紐状物は前記装飾体を貫通し、かつ、前記装飾体を係止させるための結び目を有することを特徴とする請求項１又は２に記載の吊るし装飾具。
【請求項４】
前記被固定部は磁性体で構成され、
前記固定具は磁石を含み、該磁石の磁気力によって前記被固定部に固定されることを特徴とする請求項１乃至３の何れか一項に記載の吊るし装飾具。
【請求項５】
前記固定具は互いに吸引力を発生する一対の磁石を含み、
前記一対の磁石が前記被固定部を介して対向配置されることで、前記固定具は前記被固定部に固定されることを特徴とする請求項１乃至４の何れか一項に記載の吊るし装飾具。
【請求項６】
前記磁石は前記装飾体の中に埋設されることを特徴とする請求項４に記載の吊るし装飾具。
【請求項７】
前記固定具は前記被固定部に吸着可能な吸盤で構成されることを特徴とする請求項１乃至３の何れか一項に記載の吊るし装飾具。
【請求項８】
前記紐状物は、一端が前記固定具に接続される少なくとも１本の第１紐状物と、前記装飾体が取り付けられる複数の第２紐状物と、を含み、
前記第１紐状物の他端が接続される中央部、及び前記複数の第２紐状物が周方向に間隔を有して取り付けられる外縁形成部を有する基部を備えることを特徴とする請求項１乃至７の何れか一項に記載の吊るし装飾具。
【請求項９】
内部を目視可能なケースと、
前記ケースの内面に固定された請求項１乃至８の何れか一項に記載の前記吊るし装飾具と、
を備えることを特徴とするショーケース。
【請求項１０】
前記ケースは、正面隔壁及び側面隔壁を有し、該正面隔壁及び該側面隔壁の少なくとも一部が透明な隔壁で構成されることを特徴とする請求項９に記載のショーケース。
【請求項１１】
前記ケースは上部隔壁を有し、
前記固定具は前記上部隔壁に固定されることを特徴とする請求項９又は１０に記載のショーケース。
【請求項１２】
前記ケースの内部に配置された主装飾体を備えることを特徴とする請求項９乃至１１の何れか一項に記載のショーケース。
【請求項１３】
前記ケースの内部に配置された主装飾体を備え、
前記主装飾体が前記ケースの正面から視て前記ケースの中央に配置され、
前記吊るし装飾具が前記主装飾体の両側の少なくとも一方に前記上部隔壁から吊り下げ配置されることを特徴とする請求項１１に記載のショーケース。
【手続補正２】
【補正対象書類名】明細書
【補正対象項目名】００１１
【補正方法】変更
【補正の内容】
【００１１】
（６）一実施形態では、前記（４）の構成において、
前記磁石は装飾体の中に埋設される。
上記（６）の構成によれば、磁石が装飾体に埋設され装飾体で覆われることで、固定具の装飾性を高めることができる。
【手続補正３】
【補正対象書類名】明細書
【補正対象項目名】００１８
【補正方法】変更
【補正の内容】
【００１８】
（１３）一実施形態では、前記（１１）の構成において、
前記ケースの内部に配置された主装飾体を備え、
前記主装飾体が前記ケースの正面から視て前記ケースの内部の中央に配置され、
前記吊るし装飾具が前記主装飾体の両側の少なくとも一方に前記上部隔壁から吊り下げ配置される。
上記（１３）の構成によれば、ケースの正面から視て、中央に配置された主装飾体と主装飾体の両側の少なくとも一方に配置された吊るし装飾具との組合せで、ショーケース内部の美観及び装飾性を高めることができる。